【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
複数の基地局に関連付けられた通信構成のセットを受信することと、ここにおいて、通信構成の前記セットのうちの少なくとも１つは、コードワード固有の構成を備え、
通信構成の前記セットから通信構成のインジケーションを受信することと、
前記通信構成を使用して前記複数の基地局のうちの少なくとも１つの基地局と通信することと、ここにおいて、前記通信構成は、コーワードごとのベースでの疑似コロケーション（ＱＣＬ）インジケーションを備える、
を備える、方法。
【請求項２】
前記通信構成は、チャネル状態情報（ＣＳＩ）電力オフセット構成、ＣＳＩサブフレームセット構成、コードブック制限、レートマッチング構成、またはこれらの任意の組み合わせをさらに備え、前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、請求項１に記載の方法。
【請求項３】
前記通信構成に少なくとも部分的に基づいて前記複数の基地局の各々に対するリソース割り振りを識別することをさらに備え、前記通信することは、前記リソース割り振りに少なくとも部分的に基づく、請求項１に記載の方法。
【請求項４】
前記通信構成に少なくとも部分的に基づいて前記少なくとも１つの基地局のためのＣＳＩ−ＲＳポート構成を識別することと、
前記少なくとも１つの基地局にＣＳＩレポートを送信することと、
をさらに備え、
前記ＣＳＩレポートは、前記ＣＳＩ−ＲＳポート構成および前記複数の基地局に基づいており、前記ＣＳＩ−ＲＳポート構成は、ユーザ機器（ＵＥ）のための受信ポートの数および前記少なくとも１つの基地局のための送信ポートの数に少なくとも部分的に基づく、請求項１に記載の方法。
【請求項５】
前記通信構成に少なくとも部分的に基づいて前記少なくとも１つの基地局についての個々のＣＳＩレポートを生成することと、ここにおいて、前記通信構成は、単一の基地局との通信に基づき、
前記個々のＣＳＩレポートを送信することと
をさらに備える、請求項１に記載の方法。
【請求項６】
前記通信構成に少なくとも部分的に基づいて前記複数の基地局の各々についての組み合わされたＣＳＩレポートを生成することと、ここにおいて、前記通信構成は、前記複数の基地局との通信に基づき、
前記複数の基地局の各々についての前記組み合わされたＣＳＩレポートを送信することと
をさらに備える、請求項１に記載の方法。
【請求項７】
前記通信構成に少なくとも部分的に基づいて前記複数の基地局の各々のための特殊サブフレーム構成を識別することをさらに備え、前記通信することは、前記特殊サブフレーム構成に少なくとも部分的に基づいており、前記特殊サブフレーム構成は、復調基準信号（ＤＭＲＳ）パターンを備え、前記通信することは、前記ＤＭＲＳパターンに少なくとも部分的に基づく、請求項１に記載の方法。
【請求項８】
前記通信構成は、拡張物理ダウンリンク制御チャネル（ｅＰＤＣＣＨ）構成を備え、前記通信することは、前記ｅＰＤＣＣＨ構成に少なくとも部分的に基づく、請求項１に記載の方法。
【請求項９】
ワイヤレス通信の方法であって、
複数の基地局に関連付けられた通信構成のセットを送信することと、ここにおいて、通信構成の前記セットのうちの少なくとも１つは、コードワード固有の構成に基づき、
通信構成の前記セットから通信構成のインジケーションを送信することと、
前記通信構成を使用してＵＥと通信することと、ここにおいて、前記通信構成は、コーワードごとのベースでの疑似コロケーション（ＱＣＬ）インジケーションを備える、
を備える、方法。
【請求項１０】
前記通信構成は、ＣＳＩ電力オフセット構成、ＣＳＩサブフレームセット構成、コードブック制限、レートマッチング構成、またはこれらの任意の組み合わせをさらに備える、請求項９に記載の方法。
【請求項１１】
前記通信構成に少なくとも部分的に基づいてＣＳＩ−ＲＳポート構成を識別することと、
前記ＣＳＩ−ＲＳポート構成および前記複数の基地局に基づいてＣＳＩレポートを受信することと
をさらに備える、請求項９に記載の方法。
【請求項１２】
前記通信構成に少なくとも部分的に基づいて組み合わされたＣＳＩレポートを受信することをさらに備え、前記通信構成は、前記複数の基地局との通信に基づく、請求項９に記載の方法。
【請求項１３】
ワイヤレス通信のための装置であって、
複数の基地局に関連付けられた通信構成のセットを受信するための手段と、ここにおいて、通信構成の前記セットのうちの少なくとも１つは、コードワード固有の構成を備え、
通信構成の前記セットから通信構成のインジケーションを受信するための手段と、
前記通信構成を使用して前記複数の基地局のうちの少なくとも１つの基地局と通信するための手段と、ここにおいて、前記通信構成は、コーワードごとのベースでの疑似コロケーション（ＱＣＬ）インジケーションを備える、
を備える、装置。
【請求項１４】
ワイヤレス通信のための装置であって、
複数の基地局に関連付けられた通信構成のセットを送信するための手段と、ここにおいて、通信構成の前記セットのうちの少なくとも１つは、コードワード固有の構成に基づき、
通信構成の前記セットから通信構成のインジケーションを送信するための手段と、
前記通信構成を使用してＵＥと通信するための手段と、ここにおいて、前記通信構成は、コーワードごとのベースでの疑似コロケーション（ＱＣＬ）インジケーションを備える、
を備える、装置。
【請求項１５】
少なくとも１つのプロセッサによって実行されたとき、請求項１〜請求項１２のうちのいずれかに記載の方法を実行するための命令を備える、コンピュータプログラム。
【手続補正２】
【補正対象書類名】明細書
【補正対象項目名】０１７２
【補正方法】変更
【補正の内容】
【０１７２】
[00179]添付された図面では、同様のコンポーネントまたは特徴は、同じ参照ラベルを有し得る。さらに、同じタイプの様々なコンポーネントは、参照ラベルの後に、ダッシュと、同様のコンポーネント間を区別する第２のラベルとを続けることによって区別され得る。第１の参照ラベルのみが本明細書において使用される場合、説明は、第２の参照ラベルにかかわらず、同じ第１の参照ラベルを有する同様のコンポーネントのうちの任意の１つに適用可能である。
以下に本願の出願当初の特許請求の範囲に記載された発明を付記する。
［Ｃ１］
ワイヤレス通信の方法であって、
複数の基地局に関連付けられた通信構成のセットを受信することと、ここにおいて、通信構成の前記セットのうちの少なくとも１つは、多入力多出力（ＭＩＭＯ）レイヤ固有の構成またはコードワード固有の構成を備え、
通信構成の前記セットから通信構成のインジケーションを受信することと、
前記通信構成を使用して前記複数の基地局のうちの少なくとも１つの基地局と通信することと
を備える、方法。
［Ｃ２］
前記通信構成は、チャネル状態情報（ＣＳＩ）電力オフセット構成、ＣＳＩサブフレームセット構成、コードブック制限、レートマッチング構成、疑似コロケーション（ＱＣＬ）インジケーション、またはこれらの任意の組み合わせを備える、Ｃ１に記載の方法。
［Ｃ３］
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、Ｃ２に記載の方法。
［Ｃ４］
前記通信構成に少なくとも部分的に基づいて前記複数の基地局の各々に対するリソース割り振りを識別することをさらに備え、前記通信することは、前記リソース割り振りに少なくとも部分的に基づく、Ｃ１に記載の方法。
［Ｃ５］
前記通信構成に少なくとも部分的に基づいて前記少なくとも１つの基地局のためのＣＳＩ−ＲＳポート構成を識別することと、
前記少なくとも１つの基地局にＣＳＩレポートを送信することと、ここにおいて、前記ＣＳＩレポートは、前記ＣＳＩ−ＲＳポート構成および前記複数の基地局に基づき、
をさらに備える、Ｃ１に記載の方法。
［Ｃ６］
前記ＣＳＩ−ＲＳポート構成は、ユーザ機器（ＵＥ）のための受信ポートの数および前記少なくとも１つの基地局のための送信ポートの数に少なくとも部分的に基づく、Ｃ５に記載の方法。
［Ｃ７］
前記通信構成に少なくとも部分的に基づいて前記少なくとも１つの基地局についての個々のＣＳＩレポートを生成することと、ここにおいて、前記通信構成は、単一の基地局との通信に基づき、
前記個々のＣＳＩレポートを送信することと
をさらに備える、Ｃ１に記載の方法。
［Ｃ８］
前記通信構成に少なくとも部分的に基づいて前記複数の基地局の各々についての組み合わされたＣＳＩレポートを生成することと、ここにおいて、前記通信構成は、前記複数の基地局との通信に基づき、
前記複数の基地局の各々についての前記組み合わされたＣＳＩレポートを送信することと
をさらに備える、Ｃ１に記載の方法。
［Ｃ９］
前記通信構成に少なくとも部分的に基づいて前記複数の基地局の各々のための特殊サブフレーム構成を識別することをさらに備え、前記通信することは、前記特殊サブフレーム構成に少なくとも部分的に基づく、Ｃ１に記載の方法。
［Ｃ１０］
前記特殊サブフレーム構成は、復調基準信号（ＤＭＲＳ）パターンを備え、前記通信することは、前記ＤＭＲＳパターンに少なくとも部分的に基づく、Ｃ９に記載の方法。
［Ｃ１１］
前記通信構成は、アップリンク（ＵＬ）構成およびダウンリンク（ＤＬ）構成を備える、Ｃ１に記載の方法。
［Ｃ１２］
前記通信構成は、拡張物理ダウンリンク制御チャネル（ｅＰＤＣＣＨ）構成を備え、前記通信することは、前記ｅＰＤＣＣＨ構成に少なくとも部分的に基づく、Ｃ１に記載の方法。
［Ｃ１３］
前記ｅＰＤＣＣＨ構成は、前記ＭＩＭＯレイヤ固有の構成または前記コードワード固有の構成に関連付けられた１つまたは複数のｅＰＤＣＣＨリソースセットを備える、Ｃ１に記載の方法。
［Ｃ１４］
前記複数の基地局は、協調ビームフォーミング（ＣＢＦ）モード、動的ポイント選択（ＤＰＳ）モード、またはジョイント送信（ＪＴ）モードを備える多地点協調（ＣｏＭＰ）構成にしたがって協調され、通信することは、前記ＣｏＭＰ構成に少なくとも部分的に基づく、Ｃ１に記載の方法。
［Ｃ１５］
ワイヤレス通信の方法であって、
複数の基地局に関連付けられた通信構成のセットを送信することと、ここにおいて、通信構成の前記セットのうちの少なくとも１つは、ＭＩＭＯレイヤ固有の通信またはコードワード固有の通信に基づき、
通信構成の前記セットから通信構成のインジケーションを送信することと、
前記通信構成を使用してＵＥと通信することと
を備える、方法。
［Ｃ１６］
前記通信構成は、ＣＳＩ電力オフセット構成、ＣＳＩサブフレームセット構成、コードブック制限、レートマッチング構成、疑似コロケーション（ＱＣＬ）インジケーション、またはこれらの任意の組み合わせを備える、Ｃ１５に記載の方法。
［Ｃ１７］
前記通信構成に少なくとも部分的に基づいてＣＳＩ−ＲＳポート構成を識別することと、
前記ＣＳＩ−ＲＳポート構成および前記複数の基地局に基づいてＣＳＩレポートを受信することと
をさらに備える、Ｃ１５に記載の方法。
［Ｃ１８］
前記通信構成に少なくとも部分的に基づいて組み合わされたＣＳＩレポートを受信することをさらに備え、前記通信構成は、前記複数の基地局との通信に基づく、Ｃ１５に記載の方法。
［Ｃ１９］
ワイヤレス通信のための装置であって、
複数の基地局に関連付けられた通信構成のセットを受信するための手段と、ここにおいて、通信構成の前記セットのうちの少なくとも１つは、多入力多出力（ＭＩＭＯ）レイヤ固有の構成またはコードワード固有の構成を備え、
通信構成の前記セットから通信構成のインジケーションを受信するための手段と、
前記通信構成を使用して前記複数の基地局のうちの少なくとも１つの基地局と通信するための手段と
を備える、装置。
［Ｃ２０］
前記通信構成は、チャネル状態情報（ＣＳＩ）電力オフセット構成、ＣＳＩサブフレームセット構成、コードブック制限、レートマッチング構成、疑似コロケーション（ＱＣＬ）インジケーション、またはこれらの任意の組み合わせを備える、Ｃ１９に記載の装置。
［Ｃ２１］
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、Ｃ２０に記載の装置。
［Ｃ２２］
前記通信構成に少なくとも部分的に基づいて前記複数の基地局の各々に対するリソース割り振りを識別するための手段をさらに備え、前記通信することは、前記リソース割り振りに少なくとも部分的に基づく、Ｃ１９に記載の装置。
［Ｃ２３］
前記通信構成に少なくとも部分的に基づいて前記少なくとも１つの基地局のためのＣＳＩ−ＲＳポート構成を識別するための手段と、
前記少なくとも１つの基地局にＣＳＩレポートを送信するための手段と、ここにおいて、前記ＣＳＩレポートは、前記ＣＳＩ−ＲＳポート構成および前記複数の基地局に基づき、
をさらに備える、Ｃ１９に記載の装置。
［Ｃ２４］
前記ＣＳＩ−ＲＳポート構成は、ユーザ機器（ＵＥ）のための受信ポートの数および前記少なくとも１つの基地局のための送信ポートの数に少なくとも部分的に基づく、Ｃ２３に記載の装置。
［Ｃ２５］
前記通信構成に少なくとも部分的に基づいて前記少なくとも１つの基地局についての個々のＣＳＩレポートを生成するための手段と、ここにおいて、前記通信構成は、単一の基地局との通信に基づき、
前記個々のＣＳＩレポートを送信するための手段と
をさらに備える、Ｃ１９に記載の装置。
［Ｃ２６］
前記通信構成に少なくとも部分的に基づいて前記複数の基地局の各々についての組み合わされたＣＳＩレポートを生成するための手段と、ここにおいて、前記通信構成は、前記複数の基地局との通信に基づき、
前記複数の基地局の各々についての前記組み合わされたＣＳＩレポートを送信するための手段と
をさらに備える、Ｃ１９に記載の装置。
［Ｃ２７］
前記通信構成に少なくとも部分的に基づいて前記複数の基地局の各々のための特殊サブフレーム構成を識別するための手段をさらに備え、前記通信することは、前記特殊サブフレーム構成に少なくとも部分的に基づく、Ｃ１９に記載の装置。
［Ｃ２８］
前記特殊サブフレーム構成は、復調基準信号（ＤＭＲＳ）パターンを備え、前記通信することは、前記ＤＭＲＳパターンに少なくとも部分的に基づく、Ｃ２７に記載の装置。
［Ｃ２９］
前記通信構成は、アップリンク（ＵＬ）構成およびダウンリンク（ＤＬ）構成を備える、Ｃ１９に記載の装置。
［Ｃ３０］
ワイヤレス通信のための装置であって、
複数の基地局に関連付けられた通信構成のセットを送信するための手段と、ここにおいて、通信構成の前記セットのうちの少なくとも１つは、ＭＩＭＯレイヤ固有の通信またはコードワード固有の通信に基づき、
通信構成の前記セットから通信構成のインジケーションを送信するための手段と、
前記通信構成を使用してＵＥと通信するための手段と
を備える、装置。